【手続補正書】
【提出日】令和3年2月1日(2021.2.1)
【手続補正１】
【補正対象書類名】明細書
【補正対象項目名】発明の名称
【補正方法】変更
【補正の内容】
【発明の名称】動物用噴霧装置および方法
【手続補正２】
【補正対象書類名】明細書
【補正対象項目名】００７７
【補正方法】変更
【補正の内容】
【００７７】
いくつかの実施形態では、バルブステム１３０は第１端部１３０aと第２端部１３０ｂとシャフト１３４を備える。いくつかの実施形態では、第１端部１３０aは、頭部１３１と、首部１３２と、肩部１３３とを備え、頭部１３１と首部１３２は、プラグ１３７の内部空洞１３７aに一致する形状を形成し、プラグ１３７は第１端部１３０aに確実に篏着する。いくつかの実施形態では、プラグ１３７はほぼ半球状のチップ１３７ｂを備え、ほぼ半円球のチップ１３７ｂは封止通路１１８の先細り放出口端１１９の形状に一致する形状を備え、ほぼ半球状チップ１３７ｂが先細り放出口端１１９に接触すると、水密封止が封止通路１１８と放出口チャンバー１２０との間に形成される。
【手続補正３】
【補正対象書類名】特許請求の範囲
【補正対象項目名】全文
【補正方法】変更
【補正の内容】
【特許請求の範囲】
【請求項１】
ａ．給水源と連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する回路を制御する圧力スイッチと、
ｂ．剛性材料を備え、前記圧力スイッチ、前記バルブ、前記マイクロプロセッサおよび前記近接センサを保護し、送水管に確実に取り付けられるように送水管と一致する形状の外表面を有するハウジングと、
ｃ．  (i)前記近接センサによって動物の存在が検出されたら前記バルブを開き、
(ii)前記水圧が前記しきい値レベルより下がったら前記バルブを閉じる
ようにプログラムされた前記マイクロプロセッサと、
を備える動物用噴霧装置。
【請求項２】
前記近接センサは、超音波センサ、受動型赤外線センサ、マイクロウエーブセンサ、範囲反射形センサ、振動センサの少なくとも何れか、またはそれらの組合せからなる請求項１記載の動物用噴霧装置。
【請求項３】
前記マイクロプロセッサが、前記回路を介して最初に電力を受けたら前記近接センサを起動させ、前記近接センサによって動物の存在を検出した後に前記近接センサを停止させるようにさらにプログラムされている請求項１記載の動物用噴霧装置。
【請求項４】
前記マイクロプロセッサが、前記回路を介して最初に電力を受けたら前記バルブを閉じさせるようにさらにプログラムされている請求項１記載の動物用噴霧装置。
【請求項５】
前記近接センサは、家畜を検出するように設定されている請求項１記載の動物用噴霧装置。
【請求項６】
暑いあるいは乾燥した気候において動物に噴霧を行う方法であって、
ａ．給水源からの圧力がしきい値レベルに達したか否かを検出するステップと、
ｂ．前記しきい値レベルに達したらマイクロプロセッサを始動させかつ近接センサを始動させて所定領域内における動物の存在を検出させるステップと、
ｃ．少なくとも１頭の所定以上の大きさの動物が前記近接センサにより検出されたら前記マイクロプロセッサに
(i)噴霧装置へのバルブを開かせ、
(ii)前記近接センサを停止させる
ようにさせるステップと、
ｄ．前記圧力が前記しきい値レベルよりも下がったら、前記マイクロプロセッサに前記バルブを閉じさせるステップと、
を備える動物用噴霧方法。
【請求項７】
ａ．給水源と流体的に連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する回路を制御する圧力スイッチと、
ｂ．剛性材料を備え、前記圧力スイッチ、前記バルブ、前記マイクロプロセッサおよび前記近接センサを保護し、送水管に確実に取り付けられるように送水管と一致する形状の外表面を有するハウジングと、
ｃ．  (i)前記近接センサによって動物の存在が検出されたら前記バルブを開き、
(ii)前記近接センサによって動物の存在が検出された後に前記近接センサを停止させ
(iii)前記水圧が前記しきい値レベルよりも下がったら前記バルブを閉じる
ようにプログラムされた前記マイクロプロセッサと、
を備える動物用噴霧装置。
【請求項８】
ａ．給水源と連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する第１回路を制御する圧力スイッチと、
ｂ．  (i)前記近接センサによって動物の存在が検出されたら前記バルブを開き、
(ii) 前記水圧が前記しきい値レベルより下がったら前記バルブを閉じる
ようにプログラムされたマイクロプロセッサと、
ｃ．前記マイクロプロセッサと電子的に通信する第２のスイッチであって前記マイクロプロセッサへ電力を供給する第２回路を制御して、
(i)前記第１の回路を介して最初に電力を受けたときに前記第２のスイッチを閉じて、前記第１回路を介しての電力が失われても前記第２回路を介して前記マイクロプロセッサへの電力が維持されるようにし、
(ii)前記第１回路を監視し、前記第１回路を介した電力が失われたら前記バルブを閉じて前記第２のスイッチを開くようにする
プログラムを前記マイクロプロセッサに実行させるようにする第２のスイッチと、
を備える動物用噴霧装置。
【請求項９】
前記近接センサは、超音波センサ、受動型赤外線センサ、マイクロウエーブセンサ、範囲反射形センサ、振動センサの少なくとも何れか、またはそれらの組合せからなる請求項８記載の動物用噴霧装置。
【請求項１０】
前記マイクロプロセッサが、前記第１回路を介して最初に電力を受けたら前記近接センサを起動させ、前記近接センサによって動物の存在を検出したら前記近接センサを停止させるようにさらにプログラムされている請求項８記載の動物用噴霧装置。
【請求項１１】
前記マイクロプロセッサが、前記第１回路を介して最初に電力を受けたら前記バルブを閉じさせるようにさらにプログラムされている請求項８記載の動物用噴霧装置。
【請求項１２】
前記近接センサは、家畜を検出するように設定されている請求項８記載の動物用噴霧装置。
【請求項１３】
ａ．給水源と流体的に連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する第１回路を制御する圧力スイッチと、
ｂ．  (i)前記近接センサによって動物の存在が検出されたら前記バルブを開き、
(ii)前記近接センサによって動物の存在が検出された後に前記近接センサを停止させ
(iii)前記水圧が前記しきい値レベルよりも下がったら前記バルブを閉じるようにプログラムされた前記マイクロプロセッサと、
ｃ．前記マイクロプロセッサと電子的に通信する第２のスイッチであって前記マイクロプロセッサへ電力を供給する第２回路を制御して、
(i)前記第１の回路を介して最初に電力を受けたときに前記第２のスイッチを閉じて、前記第１回路を介しての電力が失われても前記第２回路を介して前記マイクロプロセッサへの電力が維持されるようにし、
(ii) 前記第１回路を監視し、前記第１回路を介した電力が失われたら前記バルブを閉じて前記第２のスイッチを開くようにする
プログラムを前記マイクロプロセッサに実行させるようにする第２のスイッチと、
を備える動物用噴霧装置。
【請求項１４】
暑いあるいは乾燥した気候において動物に噴霧を行う方法であって、
ａ．給水源からの圧力がしきい値レベルに達したことを検出して、マイクロプロセッサを始動させるステップと、
ｂ．前記圧力が前記しきい値レベルに達したら、前記マイクロプロセッサが近接センサを始動させて所定の領域における動物の存在を検出し、
ｃ．少なくとも１頭の所定以上の大きさの動物が前記近接センサにより検出されたら前記マイクロプロセッサが噴霧装置のバルブを開き、前記近接センサを停止させ、
ｄ．前記圧力が前記しきい値よりも下がると前記マイクロプロセッサが前記バルブを閉じるステップと、
を備える動物用噴霧方法。
【請求項１５】
暑いあるいは乾燥した気候において動物に噴霧を行う方法であって、
ａ．給水源からの圧力がしきい値レベルに達したことを検出して、マイクロプロセッサを始動させるステップと、
ｂ．前記圧力が前記しきい値レベル以上の間、
(i)前記マイクロプロセッサが近接センサを始動させて所定の領域における動物の存在を検出し、
(ii)少なくとも１頭の所定以上の大きさの動物が前記近接センサにより検出されたら前記マイクロプロセッサが噴霧装置のバルブを開き、前記動物が検出されなくなったら前記マイクロプロセッサがバルブを閉じるステップと、
ｃ．前記圧力が前記しきい値レベルよりも下がったら、
(i)前記マイクロプロセッサが前記近接センサを停止させ、
(ii)前記マイクロプロセッサが前記バルブを閉じるステップと、
を備える動物用噴霧方法。
【請求項１６】
ａ．給水源と連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する回路を制御する圧力スイッチと、
ｂ．剛性材料を備え、前記圧力スイッチ、前記バルブ、前記マイクロプロセッサおよび前記近接センサを保護し、送水管に確実に取り付けられるように送水管と一致する形状の外表面を有するハウジングと、
ｃ．  (i)前記近接センサによって動物の存在が検出されたら前記バルブを開き、
(ii)前記近接センサによって動物の存在が検出されなくなったら前記バルブを閉じるようにプログラムされた前記マイクロプロセッサと、
を備える動物用噴霧装置。
【請求項１７】
前記近接センサは、超音波センサ、受動型赤外線センサ、マイクロウエーブセンサ、範囲反射形センサ、振動センサの少なくとも何れか、またはそれらの組合せからなる請求項１６記載の動物用噴霧装置。
【請求項１８】
前記マイクロプロセッサが、前記回路を介して最初に電力を受けたら前記バルブを閉じさせるようにさらにプログラムされている請求項１６記載の動物用噴霧装置。
【請求項１９】
前記近接センサは、家畜を検出するように設定されている請求項１６記載の動物用噴霧装置。
【請求項２０】
ａ．給水源と連通するスイッチであって前記給水源からの水圧がしきい値の圧力レベルに達すると閉じ、前記水圧が前記しきい値レベルより下がると開いて、
(i)近傍にいる動物の存在を検出する近接センサ、
(ii)前記給水源と流体的に連通するバルブ、および
(iii)前記バルブおよび前記近接センサと電子的に通信するマイクロプロセッサ
の(i) 〜(iii)へ電源を供給する第１回路を制御する圧力スイッチと、
ｂ．  (i)前記近接センサによって動物の存在が検出されたら前記バルブを開き、
(ii)前記近接センサによって動物の存在が検出されなくなったら前記バルブを閉じるようにプログラムされた前記マイクロプロセッサと、
ｃ．前記マイクロプロセッサと電子的に通信する第２のスイッチであって前記マイクロプロセッサへ電力を供給する第２回路を制御して、
(i)前記第１の回路を介して最初に電力を受けたときに前記第２のスイッチを閉じて、前記第１回路を介しての電力が失われても前記第２回路を介して前記マイクロプロセッサへの電力が維持されるようにし、
(ii) 前記第１回路を監視し、前記第１回路を介した電力が失われたら前記バルブを閉じて前記第２のスイッチを開くようにする
プログラムを前記マイクロプロセッサに実行させるようにする第２のスイッチと、
を備える動物用噴霧装置。
【請求項２１】
前記マイクロプロセッサが、最初に前記第１回路を介して電力をうけたときに前記バルブを閉じるようにさらにプログラムされている請求項２０に記載の動物用噴霧装置。
【請求項２２】
前記近接センサは、家畜を検出するように設定されている請求項２０記載の動物用噴霧装置。
【請求項２３】
前記第１回路を介した電圧の監視および前記電圧を表示する表示灯をさらに備える請求項２０記載の動物用噴霧装置。
【請求項２４】
前記マイクロプロセッサが、前記第１回路を介した電圧が最小閾値レベル以下に低下したら前記近接センサを無効にするようにさらにプログラムされている請求項２３記載の動物用噴霧装置。
【請求項２５】
前記バルブは放出口を備え、前記放出口はサービスラインのコネクターのねじに一致する形状を有する放出口ねじを備える請求項２０記載の動物用噴霧装置。
【請求項２６】
前記圧力スイッチ、前記バルブ、前記マイクロプロセッサおよび前記近接センサを保護するハウジングをさらに備え、前記ハウジングは剛性材料を備え、送水管に確実に取り付けられるように送水管と一致する形状の外表面を有する請求項２０に記載の動物用噴霧装置。
【請求項２７】
前記近接センサは、超音波センサ、受動型赤外線センサ、マイクロウエーブセンサ、範囲反射形センサ、振動センサの少なくとも何れか、またはそれらの組合せからなる請求項２０記載の動物用噴霧装置。